(57)【要約】【課題】  ユーザの意図する監視対象機器の情報のみを監視できるようにした監視装置およびその監視方法および監視プログラムを提供する。【解決手段】  ユーザは、ホスト端末１０（１０ａ、１０ｂ、１０ｃ）から監視対象となるプリンタ２０（２０ａ、２０ｂ、２０ｃ）を選択し、その監視方法および監視項目を選択する。この選択が完了すると、ホスト端末１０から監視対象となるプリンタ２０に対し、ホスト端末１０に送る監視項目の情報を指示する監視項目指示情報が送られ、これを受けたプリンタ２０では、この監視項目指示情報に基づき監視対象の状態のみを監視情報としてホスト端末１０へ送信する。ホスト端末１０では、この監視情報を表示部１１に表示する。【選択図】  図１
2007052488.tif 000002
【特許請求の範囲】
【請求項１】
１または複数の監視対象機器とネットワークを介して接続され、該監視対象機器の保持する監視情報に基づき該監視対象機器の状態を監視する監視装置において、
前記監視対象機器の中から監視を所望する監視対象機器を選択する操作部からの選択操作を受け付ける監視対象機器受付手段と、
前記監視対象機器受付手段で受け付けた監視対象機器の保持する監視情報の中から監視を所望する監視項目を選択する操作部からの選択操作を受け付ける監視項目受付手段と、
前記監視対象機器受付手段で受け付けた監視対象機器の保持する監視情報の内、前記監視項目受付手段で受け付けた監視項目の情報を表示部に表示する表示制御手段と
を具備することを特徴とする監視装置。
【請求項２】
前記監視対象機器受付手段で受け付けた監視対象機器に対し、前記監視項目受付手段で受け付けた選択操作に対応する監視項目の情報の送信を指示する監視項目指示手段
を更に具備し、
前記監視対象機器は、
前記監視項目指示手段により指示された監視情報を選択的に送信する
ことを特徴とする請求項１記載の監視装置。
【請求項３】
前記表示制御手段は、
前記監視対象機器から送信された監視情報の内、前記監視項目受付手段で受け付けた監視項目の情報を選択的に表示部に表示する
ことを特徴とする請求項１記載の監視装置。
【請求項４】
前記監視対象機器は、
印刷装置であり、
前記監視情報は、
前記印刷装置の構成、前記印刷装置の状態、アラームの状態、アラームの詳細、消耗品の状態、保守部品の状態、印刷ジョブの状態の一部あるいは全てを含む
ことを特徴とする請求項１乃至３いずれかに記載の監視装置。
【請求項５】
１または複数の監視対象機器とネットワークを介して接続され、該監視対象機器の保持する監視情報に基づき該監視対象機器の状態を監視する監視装置の監視方法において、
前記監視対象機器の中から監視を所望する監視対象機器を選択する操作部からの選択操作を監視対象機器受付手段で受け付けて、
前記監視対象機器受付手段で受け付けた監視対象機器の保持する監視情報の中から監視を所望する監視項目を選択する操作部からの選択操作を監視項目受付手段で受け付けて、
前記監視対象機器受付手段で受け付けた監視対象機器の保持する監視情報の内、前記監視項目受付手段で受け付けた監視項目の情報を表示制御手段で表示部に表示する
ことを特徴とする監視装置の監視方法。
【請求項６】
１または複数の監視対象機器とネットワークを介して接続され、該監視対象機器の保持する監視情報に基づき該監視対象機器の状態を監視する監視装置の処理をコンピュータに実行させる監視プログラムであって、
前記監視対象機器の中から監視を所望する監視対象機器を選択する操作部からの選択操作を受け付ける第１のステップと、
前記第１のステップで受け付けた監視対象機器の保持する監視情報の中から監視を所望する監視項目を選択する操作部からの選択操作を受け付ける第２のステップと、
前記第１のステップで受け付けた監視対象機器の保持する監視情報の内、前記第２のステップで受け付けた監視項目の情報を表示部に表示する第３のステップと
を含むことを特徴とする監視プログラム。
【発明の詳細な説明】
【技術分野】
【０００１】
本発明は、１または複数の監視対象機器とネットワークを介して接続され、該監視対象機器の保持する監視情報に基づき該監視対象機器の状態を監視する監視装置およびその監視方法および監視プログラムに係わり、詳しくは、ユーザの意図する監視対象機器の情報のみを監視できるようにした監視装置およびその監視方法および監視プログラムに関する。
【背景技術】
【０００２】
一般的に、監視を行う側の監視装置（ホスト端末）と、その監視対象となる監視対象機器とを配して構成した監視システムにおいては、監視対象機器の状態を監視するためのソフトウェア（プログラム）がホスト端末側に備わっている。例えば、監視対象機器がプリンタである場合には、この監視プログラムは、プリンタからプリンタの状態や、印刷ジョブの状態を示す情報等（以下、監視情報という）を取得することによりその状態を把握することになる。
【０００３】
また近年、このような監視対象機器は多機能化される傾向にあり、監視情報がより複雑化している。そのため、前述の監視プログラムも、より詳細な状態を監視できるようになっている。
【０００４】
ところで、リアルタイムに監視対象機器を監視するためには、監視対象機器の状態を頻繁に取得する必要があり、さらに詳細に監視するためには、監視対象機器から詳細な情報を取得する必要がある。したがって、取得する情報量が増加することとなり、これに伴って、利用者に通知する情報量も増加する。
【０００５】
従来、監視対象機器から監視情報を取得する技術として、特許文献１に記載されたものが知られている。この特許文献１には、複数の監視対象機器から各種状態を取得する際のパラメータ設定を容易にできるようにした技術について言及されている。
【特許文献１】特開２００１−２７３２２０号
【発明の開示】
【発明が解決しようとする課題】
【０００６】
しかしながら、上記特許文献１の発明では、監視情報を取得するためのタイムアウト時間を情報毎に設定することにより、トラフィックを減少させる効果があるが、監視対象機器側から通知される情報を制限するものではないため、不要な監視情報が画面上に表示されることになり、利用者が煩わしさを受けるという問題がある。
【０００７】
そこで、本発明は上記問題点に鑑みてなされたものであり、ユーザの意図する監視対象機器の情報のみを監視できるようにした監視装置およびその監視方法および監視プログラムを提供することを目的とする。
【課題を解決するための手段】
【０００８】
上記目的を達成するため、請求項１の発明は、１または複数の監視対象機器とネットワークを介して接続され、該監視対象機器の保持する監視情報に基づき該監視対象機器の状態を監視する監視装置において、前記監視対象機器の中から監視を所望する監視対象機器を選択する操作部からの選択操作を受け付ける監視対象機器受付手段と、前記監視対象機器受付手段で受け付けた監視対象機器の保持する監視情報の中から監視を所望する監視項目を選択する操作部からの選択操作を受け付ける監視項目受付手段と、前記監視対象機器受付手段で受け付けた監視対象機器の保持する監視情報の内、前記監視項目受付手段で受け付けた監視項目の情報を表示部に表示する表示制御手段とを具備することを特徴とする。
【０００９】
また、請求項２の発明は、請求項１の発明において、前記監視対象機器受付手段で受け付けた監視対象機器に対し、前記監視項目受付手段で受け付けた選択操作に対応する監視項目の情報の送信を指示する監視項目指示手段を更に具備し、前記監視対象機器は、前記監視項目指示手段により指示された監視情報を選択的に送信することを特徴とする。
【００１０】
また、請求項３の発明は、請求項１の発明において、前記表示制御手段は、前記監視対象機器から送信された監視情報の内、前記監視項目受付手段で受け付けた監視項目の情報を選択的に表示部に表示することを特徴とする。
【００１１】
また、請求項４の発明は、請求項１乃至３の発明において、前記監視対象機器は、印刷装置であり、前記監視情報は、前記印刷装置の構成、前記印刷装置の状態、アラームの状態、アラームの詳細、消耗品の状態、保守部品の状態、印刷ジョブの状態の一部あるいは全てを含むことを特徴とする。
【００１２】
また、請求項５の発明は、１または複数の監視対象機器とネットワークを介して接続され、該監視対象機器の保持する監視情報に基づき該監視対象機器の状態を監視する監視装置の監視方法において、前記監視対象機器の中から監視を所望する監視対象機器を選択する操作部からの選択操作を監視対象機器受付手段で受け付けて、前記監視対象機器受付手段で受け付けた監視対象機器の保持する監視情報の中から監視を所望する監視項目を選択する操作部からの選択操作を監視項目受付手段で受け付けて、前記監視対象機器受付手段で受け付けた監視対象機器の保持する監視情報の内、前記監視項目受付手段で受け付けた監視項目の情報を表示制御手段で表示部に表示することを特徴とする。
【００１３】
また、請求項６の発明は、１または複数の監視対象機器とネットワークを介して接続され、該監視対象機器の保持する監視情報に基づき該監視対象機器の状態を監視する監視装置の処理をコンピュータに実行させる監視プログラムであって、前記監視対象機器の中から監視を所望する監視対象機器を選択する操作部からの選択操作を受け付ける第１のステップと、前記第１のステップで受け付けた監視対象機器の保持する監視情報の中から監視を所望する監視項目を選択する操作部からの選択操作を受け付ける第２のステップと、前記第１のステップで受け付けた監視対象機器の保持する監視情報の内、前記第２のステップで受け付けた監視項目の情報を表示部に表示する第３のステップとを含むことを特徴とする。
【発明の効果】
【００１４】
本発明によれば、監視対象機器や、その監視対象となる監視項目を選択し、その選択した情報のみを監視情報として表示するようにしたため、簡単な操作により、意図する情報のみを監視することができる。これにより、不要な監視情報が画面上に表示されないため、ユーザが煩わしさを感じることもない。
【００１５】
また、監視対象機器に対し、所望の監視項目の情報を選択的に送信するように指示した場合には、監視対象機器から監視情報が選択的に送られてくるため、監視情報自体のデータ量が小さくなり、通信上のトラフィックを減少させることができる。
【発明を実施するための最良の形態】
【００１６】
以下、この発明に係わる監視装置およびその監視方法および監視プログラムの実施形態について添付図面を参照して詳細に説明する。
【実施例１】
【００１７】
図１は、本発明に係わる監視装置を配して構成した監視システムの全体構成の一例を示すブロック図である。なお、本実施例においては、管理対象機器がプリンタである場合を示す。
【００１８】
この監視システムは、ホスト端末１０（ホスト端末１０ａ、１０ｂ、１０ｃを総称してホスト端末１０という）と、プリンタ２０（プリンタ２０ａ、２０ｂ、２０ｃを総称してプリンタ２０という）とがネットワーク３０を介して接続される。
【００１９】
ホスト端末１０は、管理者またはユーザが扱うパーソナルコンピュータであり、監視装置としての役割を果たす。ネットワーク３０上には、１または複数台のホスト端末１０が接続され、管理者またはユーザは、この端末上からプリンタ２０の監視を行うこととなる。
【００２０】
ホスト端末１０には、プリンタ２０の状態またはプリンタ２０内で実行待ちとなっている印刷ジョブの状態等を監視するための監視プログラムがインストールされており、管理者またはユーザは、このプログラムを用いてプリンタ２０の監視を行うことができる。
【００２１】
ここで、ホスト端末１０の内部構成について説明する。なお、同図に示すホスト端末１０ａ、１０ｂ、１０ｃは、同等の機能を有し、その構成も同様である。そのため、ここでは代表してホスト端末１０ａの内部構成について説明する。
【００２２】
ホスト端末１０は、表示部１１と、操作部１２と、記憶部１４と、通信部１５と、制御部１３とを具備して構成される。
【００２３】
表示部１１は、各種情報の表示を行うディスプレイ等の表示装置であり、操作部１２は、ユーザ指示を入力するためのキーボードやマウス等の入力装置である。
【００２４】
記憶部１４は、各種データを記憶するＨＤ（Hard Disk）等から構成される記憶装置である。この記憶部１４には、ホスト端末１０に予めインストールされた監視プログラムを含むデータが記憶されている。
【００２５】
通信部１５は、ホスト端末１０とネットワーク３０とを接続するネットワークカード等の通信インターフェース装置である。ホスト端末１０は、この通信部１５を介してプリンタ２０と監視情報等を含む各種データの授受を行うこととなる。
【００２６】
制御部１３は、ＣＰＵ（Central Processing Unit）や作業用メモリ等から構成され、
このＣＰＵが、記憶部１４に格納された監視プログラムを読み込んで実行することで、本発明による監視処理が実現される。
【００２７】
また、監視対象機器としてのプリンタ２０は、ホスト端末１０から受信した印刷データに基づいて印刷処理を行う。ネットワーク３０上には、１または複数台のプリンタ２０が接続される。このプリンタ２０は、監視対象となる情報、例えば、プリンタの状態や、アラームの状態、保守部品の状態等の情報を保持しており、ホスト端末１０では、この情報を監視情報として取得しプリンタ２０の監視を行うこととなる。
【００２８】
ここで、プリンタ２０の内部構成について説明する。なお、同図に示すプリンタ２０ａ、２０ｂ、２０ｃは、同等の機能を有し、その構成も同様である。そのため、ここでは代表してプリンタ２０ｃの内部構成について説明する。
【００２９】
プリンタ２０は、通信部２１と、制御部２２と、操作パネル２３と、印刷部２４とを具備して構成される。
【００３０】
通信部２１は、プリンタ２０とネットワーク３０とを接続するネットワークカード等の通信インターフェース装置である。操作パネル２２は、ユーザとのインターフェースの役割を果たし、ＬＣＤ（Liquid Crystal Display）などで構成された表示部２３ａと、操作ボタン（上下左右矢印キー、テンキー等）などの操作部２３ｂとが設けられる。また、印刷部２４は、実際に用紙（媒体）などに画像を形成する印刷機構である。
【００３１】
制御部２２は、ＣＰＵ（Central Processing Unit）、プログラム用メモリ、作業用メモリ等から構成され、ＣＰＵが、このプログラム用メモリに格納されたプログラムに従ってプリンタ２０全体の制御を行う。
【００３２】
この制御部２２は、通信部２１を介してホスト端末１０へ監視情報を送信する機能を有し、その機能を果たす監視情報送信部２２ａが設けられる。監視情報の送信は、例えば、ホスト端末１０からの取得要求に応じて行うようにしてもよいし、予め設定された時間間隔で行うようにしてもよいが、本実施例においては、プリンタ２０のステータスが遷移したことに伴って監視対象項目の情報が変化したときに行う場合を説明する。
【００３３】
次に、前述したホスト端末１０上で動作する監視プログラムについて説明する。ホスト端末１０上でこのプログラムが起動されると、ホスト端末１０の表示部１１には、図２に示す画面が表示され、この画面上から監視対象となるプリンタ２０や、その監視項目および監視方法を選択することができる。
【００３４】
まず、図２（ａ）に示す監視プリンタ設定画面では、所望の監視対象プリンタを選択する機能が提供され、ユーザは、この監視プリンタ設定画面から監視対象となるプリンタを選択することができる。監視対象となるプリンタは、プリンタ名に併設されるチェックボックスにて選択できる。この図２（ａ）に示す設定例では、全てのプリンタ名に併設されるチェックボックスにチェックが入れられており、全てのプリンタを監視対象としている。
【００３５】
このようにして監視対象プリンタの選択が行われると、次に、図２（ｂ）に示す監視項目設定画面から監視項目の設定等を行うことになる。この監視項目設定画面では、監視方法を選択する機能と、監視項目を選択する機能とが提供される。
【００３６】
まず、監視方法を選択する機能では、画面内「監視方法の選択」にて、「プリンタから送信する監視情報を制限する（送信制限）」か、あるいは「ホスト端末に表示する監視情報を制限する（表示制限）」かのいずれかをラジオボックスにて排他的に選択することができる。
【００３７】
この前者にあたる「プリンタから送信する監視情報を制限する（送信制限）」のラジオボックスを選択した場合には、後述する監視項目で選択した項目と対応する監視情報のみがプリンタ２０からホスト端末１０へ送信されることになり、監視情報の送信制限を行うことができる。
【００３８】
一方、後者にあたる「ホスト端末に表示する監視情報を制限する（表示制限）」のラジオボックスを選択した場合には、プリンタ２０からプリンタ２０が保持する全ての監視情報が送信され、それを受信したホスト端末１０側で、後述する監視項目で選択した項目と対応する監視情報の表示のみを行うことになり、監視情報の表示制限を行うことができる。
【００３９】
したがって、監視情報の送信制限、あるいは監視情報の表示制限のいずれを選択した場合であっても、選択した監視項目の情報のみを表示することができるので、表示に際して不要な情報が表示されないことになる。
【００４０】
また、監視情報の送信制限を選択した場合には、監視対象に選択したプリンタから、選択した監視項目の情報のみを受信し表示することができるので、監視情報自体のデータ量が小さくなり、通信上のトラフィックを減少させることができる。
【００４１】
次に、監視項目を選択する機能では、画面内「監視項目の選択」にて、監視項目名に併設されるチェックボックスにて監視項目を選択できる。この監視項目はそれぞれ、プリンタの構成、プリンタの状態、アラームの状態、アラームの詳細、消耗品の状態、保守部品の状態、印刷ジョブの状態といった大項目に属しており、監視ユーザは、監視目的に応じて大項目内から所望の監視項目を選択する。この図２（ｂ）に示す設定例では、全ての監視項目名に併設されるチェックボックスにチェックが入れられており、全ての監視項目を監視対象としている。
【００４２】
さて、図２に示す設定例では、全てのプリンタ２０において、全ての監視項目について監視を行うように設定されているが、これは管理者（会社や部門などでプリンタを管理する人）の設定例であるからである。
【００４３】
上述した通り、この設定は適宜変更できるため、ユーザの担当業務等に応じて必要な監視項目だけを選択することで、不要な監視情報の表示を行わなくて済むことになる。
【００４４】
例えば、一般ユーザ（通常のＯＡ業務で印刷を行う人）であるならば、図３に示すように、自分の使用するプリンタだけを監視対象とし、自分の印刷ジョブの監視のみを行うように設定することで、自分の印刷物の状態だけを監視できるようになる。また、メンテナンスユーザ（プリンタのメンテナンスを担当する人）であるならば、図４に示すように、全てのプリンタの消耗品、保守部品の状態だけを監視するといった設定を行うようにする。
【００４５】
また、監視項目の設定テンプレートを設けておき、その設定テンプレートを読み込むことで、上述した監視項目を自動で設定するようにしてもよい。例えば、設定テンプレートとして、管理者用、一般ユーザ用、メンテナンスユーザ用等を設けておき、監視項目設定画面でこの設定テンプレートをロードすることにより、監視項目を自動で設定するように構成する。
【００４６】
ここで、図５を用いて、図１に示したホスト端末１０における制御部１３の機能的な構成について説明する。
【００４７】
制御部１３は、各種処理機能部として、入力受付部４１と、監視項目指示部４２と、監視情報表示制御部４３と、監視情報受信部４４とを具備して構成される。なお、この制御部１３の各種処理機能は、記憶部１４に格納された監視プログラムが読み出され、実行されることにより実現される。
【００４８】
入力受付部４１は、操作部１２を介してユーザから入力または選択されたユーザ指示を受け付ける機能を有する。すなわち、本発明においては、上述した監視プリンタ設定画面および監視項目設定画面にて、ユーザからの操作部１２を介した監視対象プリンタ、監視方法、監視項目等の選択操作を受け付ける。
【００４９】
監視項目指示部４２は、通信部１５を介して監視対象となるプリンタ２０に対し、ホスト端末１０に送る監視項目の情報を指示（以下、この指示を監視項目指示情報という）する機能を有する。この監視項目指示情報を受信したプリンタ２０では、かかる指示に基づき、監視対象の状態のみを監視情報としてホスト端末１０へ送信することとなる。なお、監視項目設定画面にて監視方法として監視情報の表示制限（ホスト端末に表示する監視情報を制限する）が選択された場合には、この監視項目指示部４２からの監視項目指示情報の送信は行わない。
【００５０】
監視情報受信部４４は、通信部１５を介してプリンタ２０から監視情報を受信する機能を有し、監視情報表示制御部４３は、この監視情報を表示部１１に表示する機能を有する。
【００５１】
監視情報表示制御部４３では、上述した監視項目設定画面において、監視情報の表示制限（ホスト端末に表示する監視情報を制限する）が選択された場合には、監視項目設定画面にてユーザに選択された項目と対応する監視情報のみを表示部１１に表示し監視情報の表示制限を行う。以上が制御部１３の機能的な構成の一部を示す各機能ブロックの説明である。
【００５２】
次に、図６および図７を用いて本発明に係わる監視システムの動作について説明する。なお、ここでは、プリンタ２０側から送信する監視情報を制限する（送信制限）場合の動作と、ホスト端末１０側で表示する監視情報を制限する（表示制限）場合の動作について説明する。
【００５３】
まず、図６を用いて、プリンタ２０側から送信する監視情報を制限する（送信制限）場合の監視システムの動作について説明する。
【００５４】
まず、ユーザによりホスト端末１０上で監視プログラムが起動されると（ステップＳ１０１）、この処理は開始される。この処理が開始されると、上記図２（ａ）で説明した監視プリンタ設定画面が表示部１１に表示され、ホスト端末１０は入力受け付け待ちとなる（ステップＳ１０２でＮＯ）。ユーザは、この監視プリンタ設定画面から監視対象となるプリンタを選択することとなる。
【００５５】
ここで、ユーザが操作部１２を介して監視対象のプリンタを選択し、完了を指示（ＯＫキー押下）すると（ステップＳ１０２でＹＥＳ）、その入力が入力受付部４１で受け付けられ（ステップＳ１０３）、次に、ユーザは監視項目の設定を行う。
【００５６】
監視項目の設定では、上記図２（ｂ）で説明した監視項目設定画面が表示部１１に表示され、ホスト端末１０は入力受け付け待ちとなる（ステップＳ１０４でＮＯ）。ユーザは、この監視項目設定画面から、前処理で選択したプリンタの監視方法や、監視項目を選択することとなる。
【００５７】
そして、ユーザが操作部１２を介して監視方法に送信制限を選択するとともに、監視対象の項目を選択し、完了を指示（ＯＫキー押下）すると（ステップＳ１０４でＹＥＳ）、その入力が入力受付部４１で受け付けられる（ステップＳ１０５）。
【００５８】
このようにして監視対象プリンタと、監視方法および監視項目の選択が行われ、ユーザにより実行キー（不図示）が押下されると（ステップＳ１０６でＹＥＳ）、監視項目指示部４２は、通信部１５を介してプリンタ２０へ監視項目指示情報を送信する（ステップＳ１０７）。
【００５９】
この指示情報を受信したプリンタ２０では（ステップＳ１０８）、この監視項目指示情報により指示された監視対象の状態が変化するまで待機するが（ステップＳ１０９でＮＯ）、プリンタ２０のステータスの遷移等に伴って、監視対象の状態が変化すると（ステップＳ１０９でＹＥＳ）、これを受けた監視情報送信部２２ａは、通信部２１を介してホスト端末１０へ監視情報を送信する（ステップＳ１１０）。以後、このステップＳ１１０の送信処理は、監視対象の状態が変化する都度、繰り返し行われることとなる。
【００６０】
一方、ホスト端末１０では、プリンタ２０から送られてきた監視情報を通信部１５を介して監視情報受信部４４で受信するとともに、監視情報表示制御部４３により、受信した監視情報を表示部１３に表示する（ステップＳ１１２）。そして、この処理を終了する。
【００６１】
次に、図７を用いて、ホスト端末１０側で表示する監視情報を制限する（表示制限）場合の監視システムの動作について説明する。
【００６２】
まず、ユーザによりホスト端末１０上で監視プログラムが起動されると（ステップＳ２０１）、この処理は開始される。この処理が開始されると、上記図２（ａ）で説明した監視プリンタ設定画面が表示部１１に表示され、ホスト端末１０は入力受け付け待ちとなる（ステップＳ２０２でＮＯ）。ユーザは、この監視プリンタ設定画面から監視対象となるプリンタを選択することとなる。
【００６３】
ここで、ユーザが操作部１２を介して監視対象のプリンタを選択し、完了を指示（ＯＫキー押下）すると（ステップＳ２０２でＹＥＳ）、その入力が入力受付部４１で受け付けられ（ステップＳ２０３）、次に、ユーザは監視項目の設定を行う。
【００６４】
監視項目の設定では、上記図２（ｂ）で説明した監視項目設定画面が表示部１１に表示され、ホスト端末１０は入力受け付け待ちとなる（ステップＳ２０４でＮＯ）。ユーザは、この監視項目設定画面から、前処理で選択したプリンタの監視方法や、監視項目を選択することとなる。
【００６５】
そして、ユーザが操作部１２を介して監視方法に表示制限を選択するとともに、監視対象の項目を選択し、完了を指示（ＯＫキー押下）すると（ステップＳ２０４でＹＥＳ）、その入力が入力受付部４１で受け付けられる（ステップＳ２０５）。
【００６６】
このようにして監視対象プリンタと、監視方法および監視項目の選択が行われ、ユーザにより実行キー（不図示）が押下されると（ステップＳ２０６でＹＥＳ）、ホスト端末１０は、プリンタ２０からの監視情報受信待ちとなる（ステップＳ２０９でＮＯ）。
【００６７】
ここで、プリンタ２０において、ステータスの遷移等に伴って、監視対象の状態が変化すると（ステップＳ２０７でＹＥＳ）、これを受けた監視情報送信部２２ａは、通信部２１を介してホスト端末１０へ監視情報を送信する（ステップＳ２０８）。以後、このステップＳ２０８の送信処理は、監視対象の状態が変化する都度、繰り返し行われることとなる。
【００６８】
一方、ホスト端末１０では、プリンタ２０から送られてきた監視情報を通信部１５を介して監視情報受信部４４で受信するとともに、この監視情報を受けた監視情報表示制御部４３は、上記ステップＳ２０５で受け付けた監視項目に対応する監視情報のみを表示部１３に表示する（ステップＳ２１０）。そして、この処理を終了する。
【００６９】
以上説明したように本発明においては、監視対象機器や、その監視対象となる監視項目を選択し、その選択した情報のみを監視情報として表示するようにしたため、簡単な操作により、意図する情報のみを監視することができる。これにより、不要な監視情報が画面上に表示されないため、ユーザが煩わしさを感じることもない。
【００７０】
また、監視対象機器から送られてくる監視情報の送信制限を行った場合には、監視対象機器から監視情報が選択的に送られてくるため、監視情報自体のデータ量が小さくなり、通信上のトラフィックを減少させることができる。
【００７１】
なお、上記実施例においては、ホスト端末１０上でプリンタ２０側から送信する監視情報を制限する（送信制限）場合を説明したが、この監視情報の送信制限をプリンタ２０側の操作パネル２３から行うように構成してもよい。
【００７２】
また、上記実施例においては、監視対象機器がプリンタ２０である場合を説明したが、これに限られず、ネットワークに接続されて動作するネットワーク機器なら何でもよく、例えば、複合機、複写機、ファックス等や、パーソナルコンピュータ、ルータ等であってもよい。
【００７３】
この他、本発明は、上記および図面に示す実施例に限定することなく、その要旨を変更しない範囲内で適宜変形して実施できるものである。
【産業上の利用可能性】
【００７４】
本発明の監視装置およびその監視方法および監視プログラムは、監視対象機器の状態を監視する監視装置全般に適用可能であり、特に、不要な監視情報の表示を抑制する場合に有効利用することができる。
【図面の簡単な説明】
【００７５】
【図１】本発明に係わる監視システムの全体構成の一例を示すブロック図である。
【図２】監視プリンタ設定画面および監視項目設定画面の一例を示す図である（管理者）。
【図３】監視プリンタ設定画面および監視項目設定画面の一例を示す図である（一般ユーザ）。
【図４】監視プリンタ設定画面および監視項目設定画面の一例を示す図である（メンテナンスユーザ）。
【図５】図１に示したホスト端末１０における制御部１３の機能的な構成を示す図である。
【図６】本発明に係わる監視システムの動作を説明するフローチャートである（送信制限）。
【図７】本発明に係わる監視システムの動作を説明するフローチャートである（表示制限）。
【符号の説明】
【００７６】
１０（１０ａ、１０ｂ、１０ｃ）    ホスト端末
１１    表示部
１２    操作部
１３    制御部
１４    記憶部
１５    通信部
２０（２０ａ、２０ｂ、２０ｃ）    プリンタ
２１    通信部
２２    制御部
２２ａ    監視情報送信部
２３    操作パネル
２３ａ    表示部
２３ｂ    操作部
２４    印刷部
３０    ネットワーク
４１    入力受付部
４２    監視項目指示部
４３    監視情報表示制御部
４４    監視情報受信部
【図１】
2007052488.tif 000003
【図２】
2007052488.tif 000004
【図３】
2007052488.tif 000005
【図４】
2007052488.tif 000006
【図５】
2007052488.tif 000007
【図６】
2007052488.tif 000008
【図７】
2007052488.tif 000009